(57)【特許請求の範囲】
【請求項１】
印面を有する印字ゴマ（３）の側面の対向位置に設けた鍔（４）と係合する印字コマ受（５）を本体（１）の下方に、蝶番部（２）を本体（１）の下方位置外部にそれぞれ設け、本体（１）の下方に印字ゴマ（３）の印面を露呈する捺印具（６）を２個以上配設し、隣り合う本体（１）の前記蝶番部（２）により折曲可能な蝶番として、前記隣り合う本体（１）を印面側を起点として広角可能に連結し、球体捺印物に捺印可能としたことを特徴とする広角可能な捺印具。
【請求項２】
本体（１Ａ）外側に回転作用部（１０）と前記本体（１Ａ）外側の下方位置に蝶番部（２）を設け、本体（１Ａ）内部には前記回転作用部（１０）の回転により回転する回転子（９）と下方支持部（８）により印面を有する無端印字ベルト（７）を架設させて、前記本体（１Ａ）の下方より印面を露呈した捺印具（６Ａ）を２個以上配設し、隣り合う本体（１Ａ）の前記蝶番部（２）により折曲可能な蝶番とし、前記隣り合う本体（１Ａ）を印面側を起点として広角可能に連結し球体捺印物に捺印可能としたことを特徴とする広角可能な捺印具。
【請求項３】
本体（１）、（１Ａ）の下方に設けられた蝶番部（２）を設けた面と隣り合う面の中心より下方位置に突起（１１）を設け、印台本体（１３）の外側に円弧状に本体（１）、（１Ａ）の数だけ設けた窓（１７）に前記突起（１１）を嵌挿入させて印面側を起点として捺印具（６）、（６Ａ）全体を広角誘導し、更に、印台本体（１３）の下方に捺印物を固定する印台固定部（１４）を弾発支持した印台（１２）を設けたことを特徴とする請求項１又は２に記載した広角可能な捺印具。
【発明の詳細な説明】
本発明は、捺印物を球体としたものに、捺印する捺印具に関するものである。
【０００２】
【従来の技術】
従来より、捺印物である球体に捺印する捺印具は、球体の中心に向かって、印面が設けられる必要がある。すなわち、球体と同心円に印面が配置されている必要がある。この様に配置しないと、印面に押圧力が均等にかからず、印面を歪ませる結果となり印影のずれや濃淡が生じ、鮮明な印影を得ることが出来ない。そこで、従来より、実公昭３−１３５３８号（以下（イ））実公平４−５３３４号（以下（ロ））がある。（イ）、（ロ）は、ともに、本体の下方に印字体を有しているか、もしくは、印字コマとして、枠体に収納され、固定されて、捺印物に対して捺印するものである。しかし、扇状円弧状に広角され設けられた印面は角度が常に固定されているのでこの円弧より大きい捺印物であれば捺印不可能となる。また、（イ）、（ロ）の捺印具を連続して、使用するには、このままで普通のスタンプ台（盤面がフラットな、スタンプ台）を使用することは出来ず、均一なインキ塗布は出来ない。更に、特種なスタンプ台を使用しても均一な塗布方法も難しく、こうしたスタンプ台は、コスト高にもなる。また、印面の変更といった問題には、（イ）、（ロ）の印面の取り替えが不便なため捺印具を回転印としている。こうした例には、実公昭３５−２３６０３号（以下（ハ））実公昭６３−５８９５号（以下（ニ））がある。（ハ）は、回転印を３連にし、それぞれを並列に固定させており、捺印物を球体とするものには不向きである。また、（ニ）は、回転印を３連としており、それぞれの回転印を扇状に広角可能に固定しており、印面どうしの間隔を小さく（狭く）するような考案であり、すべての印面をフラットに維持して、平面に捺印するための捺印具である。
【０００３】
【発明が解決しようとする問題点】
前記した様に、インキ塗布を均一に行なうことが出来ず、更に、球体の捺印物に鮮明に捺印出来ない。また、印面を自由自在に簡単に変更することが出来ない球体の捺印物用捺印具である。従って、こうした問題点を解決するために、インキ塗布時には、均一に印面にインキ塗布は出来、捺印時には、球体の捺印物に適応した扇状となり、しかも、印面の変更を自由に行なえ、鮮明な印影を得ることにある。
【０００４】
【問題点を解決するための手段】
印面を有する印字ゴマ３の側面の対向位置に設けた鍔４と係合する印字コマ受５を本体１の下方に、蝶番部２を本体１の下方位置外部にそれぞれ設け、本体１の下方に印字ゴマ３の印面を露呈する捺印具６を２個以上配設し、隣り合う本体１の前記蝶番部２により折曲可能な蝶番として、前記隣り合う本体１を印面側を起点として広角可能に連結し、球体捺印物に捺印可能としたことを特徴とする広角可能な捺印具であったり、
【０００５】
本体１Ａ外側に回転作用部１０と前記本体１Ａ外側の下方位置に蝶番部２を設け、本体１Ａ内部には前記回転作用部１０の回転により回転する回転子９と下方支持部８により印面を有する無端印字ベルト７を架設させて、前記本体１Ａの下方より印面を露呈した捺印具６Ａを２個以上配設し、隣り合う本体１Ａの前記蝶番部２により折曲可能な蝶番とし、前記隣り合う本体１Ａを印面側を起点として広角可能に連結し球体捺印物に捺印可能としたことを特徴とする広角可能な捺印具であったり、更に、
【０００６】
本体１、１Ａの下方に設けられた蝶番部２を設けた面と隣り合う面の中心より下方位置に突起１１を設け、印台本体１３の外側に円弧状に本体１、１Ａの数だけ設けた窓１７に前記突起１１を嵌挿入させて印面側を起点として捺印具６、６Ａ全体を広角誘導し、更に、印台本体１３の下方に捺印物を固定する印台固定部１４を弾発支持した印台１２を設けたことを特徴とする請求項１又は２に記載した広角可能な捺印具である。
【０００７】
【作用】
本発明の実施例１について、所望の印面を選択し、本体１下方の印字コマ受５に挿嵌し、夫々の捺印具を広角せずに、並列にして、印面をフラットにして、スタンプ台等により均一なインキ塗布を行なう。次に、前記捺印具を、捺印物である球体に押圧するには、前記捺印具を広角して捺印物に押圧する。本発明の実施例２について、捺印具６Ａを回転印としているので、印面の交換は、回転子９の回転作用部１０を回転させればよい。また、インキの塗布方法、捺印物への捺印方法は上記実施例１と同様である。次に、本発明の実施例３について、夫々捺印具６，６Ａを並列にして、夫々の印面をフラットにし、スタンプ台等の盤面に押圧し、均一なインキ塗布を可能とする。この捺印具は、突起１１が窓１７に制御されているので、広角を一定位置まで固定出来る。これは、印台固定部１４を捺印物の円弧と同じ半径とするなら、捺印物を確実に保持出来、捺印物の表面に対し、印面が水平位置になり、鮮明な印影が得られる。
【０００８】
【実施例】
本発明の実施例１につて、詳細に説明する。
１は、６面体を有する本体であり、下方に印字ゴマ３の印面を露呈している。また、前記本体１の下方位置の４側面のうち向い合う２側面もしくは、１側面に蝶番部２を設けている。印字コマ３には両側に鍔４を設けており、本体１の下方に鍔４を挿入し、係合する溝５を設けている。前記本体１と、印字体３を係合したものを実施例１では捺印具６となし、前記捺印具６を少なくとも２個以上蝶番部２で連結した、実施例１の捺印具である。特にここで、蝶番部２としているが、折曲可能な連結部材で広角可能であればよい。実施例１の捺印具の使用方法について述べる。印面を印字体３より選択し本体１に組み付ける。こうして、少なくとも２個以上の捺印具を連結して、印面それぞれをフラットにして、スタンプ台等よりのインキ塗布を均一にしている。更に、該インキ塗布された捺印具を、印面側を起点として拡開して、捺印物である球体の表面に合わせると、印面と捺印物表面は、平行になり、均一に押圧力が働き鮮明な捺印が得られる。
【０００９】
次に、本発明の実施例２について、詳細に説明する。１Ａは、４面体を有する本体であり、内部に無端印字ベルト７を、更に、下方には、下方支持部８及び、回転作用部１０を本体外側に設けた回転子９を設けている。前記下方支持部８と回転子９により無端印字ベルト７は回転自在に架設されている。そして、本体１Ａの下方より無端印字ベルト７に設けた印面を露呈している。更に、本体１Ａの下方位置の４側面のうち、向かい合う２側面、もしくは、１側面に蝶番部２を設けている。実施例２の使用方法は、回転作用部１０により回転させ、回転子９により無端印字ベルト７を送り、印面を選択し、２つ以上の捺印具６Ａを並列にし、夫々の印面をフラットにして、スタンプ台によりインキを均一に塗布する。後の捺印物への捺印方法は、実施例１と同様である。
【００１０】
最後に、本発明の実施例３について、詳細に説明する。実施例１、及び２の２個以上の捺印具６、６Ａを組み付けた捺印具の本体１、１Ａの蝶番部２を設けた面と隣り合う面の下方に突起１１を設けている。
１２は、印台であり、印台本体１３と、印台固定部１４を設けている。印台本体１３と印台固定部１４は、前記印台固定部１４に設けた脚１６の中に内設したコイルバネ等の弾性部材１５により弾発支持されており、印台本体１３と印台固定部１４を着脱自在としている。印台固定部１４は、下面を球体の大きさに適用させた、立体の一部の曲面部１８としている。また、印台本体１３の向い合う側面に脚１６を上下動自在に、また着脱自在に嵌含している。他の向い合う側面には、突起１１が挿嵌し、誘導される窓１７が、捺印具６、６Ａと同じ数だけ設けられている。
例えば、捺印具６、６Ａが２個の場合、窓１７の形状は捺印具６、６Ａの動きに合わせた円弧の一部を形成する、長形をなしている。また、例えば、捺印具６、６Ａが３個の場合、中央の１個を支持し、誘導する窓１７は突起１１と同じ形で係止する円形の窓１７であり他は、円弧の一部を形成する長形窓１７である。捺印具６、６Ａが、奇数個の場合、中央の捺印具６、６Ａは、扇状に動く中心となり動かない。
【００１１】
実施例３の捺印具を使用するには、捺印具６、又は、６Ａに設けた突起１１と印台本体１３に設けた窓１７と係合し、２個以上の捺印具６、又は、６Ａと印台本体１３とを組み付ける。そして、捺印具６、又は、６Ａを並列とし、印面をフラットにして、スタンプ台によりインキを均一に塗布する。次に、球体の捺印物に合わせた、印台固定部１４を脚１６により印台本体１３と上下動自在に弾発支持している。球体の捺印物を曲面部１８に確実に当接保持し、捺印具６、又は、６Ａの全体を下方に押圧して鮮明な捺印を得る。
【００１２】
【結果】
以上の様な構成であるので、（１）広角に捺印具６、又は、６Ａが動き、スタンプ台よりインキを塗布する時フラットになり、捺印時に球体の捺印物の中心に向うように捺印具６、又は、６Ａがセット可能であるので、（球体の捺印物表面と、印面が平行にセットされるので）鮮明な捺印の為に、均一なインキ塗布が可能であり鮮明な捺印が可能である。
（２）印台固定部１４が取り替え可能であるため、色々な球体の捺印物に対し印台固定部１４が選択でき、確実に捺印物を保持可能となり、印影のズレを生じない。
【００１３】
【図面の簡単な説明】
【図１】本発明第１の実施例の分解斜視図
【図２】本発明第１の実施例の印字コマ、及び、本体説明図
【図３】本発明第２の実施例の左側面図
【図４】本発明第２の実施例の正面図
【図５】本発明第３の実施例のインキ塗布状態の説明図
【図６】本発明第３の実施例の使用状態の説明図
【００１４】
【符号の説明】
１ 本体
２ 蝶番部
３ 印字コマ
４ 鍔
５ 印字コマ受
６ 捺印具
７ 無端印字ベルト
８ 下方支持部
９ 回転子
１０ 回転作用部
１１ 突起
１２ 印台
１３ 印台本体
１４ 印台固定部
１５ 弾性部材
１７ 窓
１８ 曲面部
【図１】
0003591658.tif 000002
【図２】
0003591658.tif 000003
【図３】
0003591658.tif 000004
【図４】
0003591658.tif 000005
【図５】
0003591658.tif 000006
【図６】
0003591658.tif 000007